(57)【特許請求の範囲】
【請求項１】
正面から背面に向かって並んで配置された複数のコンパートメントを備える鞄であって、
前記複数のコンパートメントのうち、最も背面側のコンパートメントが、第１の大きさのノート型パソコンを収納するためのノート型パソコン用コンパートメントであり、
前記ノート型パソコン用コンパートメントが、前記第１の大きさよりも小さい第２の大きさのノート型パソコンまたはタブレットタイプのパソコンを収納するための第１のポケットを備えており、
前記鞄の上面と前記鞄の２つの側面のうちの少なくとも１方の側面とにわたって前記ノート型パソコン用コンパートメントを連続的に開口させる開口部を備え、
前記鞄を背負うための背負いベルトを背面に備える鞄。
【請求項２】
前記第１のポケットがＬ字形状であり、伸縮性を有する請求項１に記載の鞄。
【請求項３】
前記ノート型パソコン用コンパートメントが、前記ノート型パソコン用コンパートメントの正面側および背面側の側面に緩衝シートを備える請求項１または２に記載の鞄。
【請求項４】
前記ノート型パソコン用コンパートメントが、前記第２の大きさよりも小さい第３の大きさのノート型パソコンまたはタブレットタイプのパソコンを収納するための伸縮性を有する第２のポケットをさらに備える請求項１〜３のいずれか１項に記載の鞄。
【請求項５】
前記ノート型パソコン用コンパートメントの底部に沿って弾性緩衝材を備える請求項１〜４のいずれか１項に記載の鞄。
【請求項６】
前記弾性緩衝材が、地面に置いたときに生じる衝撃から、収納する複数のパソコンを保護する請求項１〜５のいずれか１項に記載の鞄。
【発明の詳細な説明】
【技術分野】
【０００１】
本発明は、ノート型パソコンを収納できる鞄に関する。
【背景技術】
【０００２】
空港ゲートで機内持ち込みの鞄をＸ線検査用のコンベヤーに乗せて検査を受けるとき、鞄の中に入っているアップル社のマックブック（Ｍａｃ  Ｂｏｏｋ）（登録商標）などのノート型パソコンがＸ線検査による透視の邪魔になるので、鞄からノート型パソコンを取り出す必要がある場合がある。また、旅行や出張で、空いている時間に鞄に収納されているノート型パソコンを取り出してすぐ使用したい場合がある。このような場合に、ノート型パソコンを鞄からすぐに取り出すことができる鞄が従来技術として知られている（たとえば、特許文献１参照）。特許文献１に記載の鞄は、鞄本体とパソコンを収納可能なバッグとから構成され、バッグは本体の外側へ移動可能である。これにより、鞄本体を開けて中からパソコンを取り出す必要がないので、速やかにノート型パソコンを取り出すことができる。また、近年、アップル社のマックブック（Ｍａｃ  Ｂｏｏｋ）（登録商標）などのノード型パソコンと、アップル社のアイパッド（ｉＰａｄ）（登録商標）などのタブレットタイプのパソコンとを同時に持ち運ぶ人が多くなっている。
【先行技術文献】
【特許文献】
【０００３】
【特許文献１】特開２０１０−３５９６７号公報
【発明の概要】
【発明が解決しようとする課題】
【０００４】
特許文献１に記載の鞄では、バッグに収納することができるノート型パソコンは特定の大きさのものに限られるという問題点がある。たとえば、特定の大きさのノート型パソコンよりも小さいノート型パソコンをバックに収納すると、鞄の移動中に鞄の中のノート型パソコンが揺れ、ノート型パソコンが故障する可能性がある。
【課題を解決するための手段】
【０００５】
本発明は、上記課題を解決すため、以下の構成を採用した。
すなわち、本発明は、正面から背面に向かって並んで配置された複数のコンパートメントを備える鞄であって、複数のコンパートメントのうち、最も正面側または最も背面側のコンパートメントが、第１の大きさのノート型パソコンを収納するためのノート型パソコン用コンパートメントであり、ノート型パソコン用コンパートメントが、第１の大きさよりも小さい第２の大きさのノート型パソコンを収納するための第１のポケットを備えており、鞄の上面と鞄の２つの側面のうちの少なくとも１方の側面とにわたってノート型パソコン用コンパートメントを連続的に開口させる開口部を備える。好ましくは、ポケットがＬ字形状であり、伸縮性を有する。また、ノート型パソコン用コンパートメントが、ノート型パソコン用コンパートメントの正面側および背面側の側面に緩衝シートを備えてもよい。さらに、本発明の鞄が、ノート型パソコン用コンパートメントの底部に沿って弾性緩衝材を備えてもよい。また、ノート型パソコン用コンパートメントが、第２の大きさよりも小さい第３の大きさのノート型パソコンまたはタブレットタイプのパソコンを収納するための伸縮性を有する第２のポケットをさらに備えてもよい。本発明の鞄が鞄を背負うための背負いベルトを背面に備え、ノート型パソコン用コンパートメントが最も背面側のコンパートメントであることが好ましい。
【発明の効果】
【０００６】
本発明によれば、ノート型パソコンが鞄の中で揺れることを抑制させて、複数の大きさのノート型パソコンを鞄の中に同時に収納することができ、かつ、鞄の中からノート型パソコンをすぐに取り出すことができる。
【図面の簡単な説明】
【０００７】
【図１】図１は、本発明の一実施形態の鞄の正面図である。
【図２】図２は本発明の一実施形態の鞄の背面図である。
【図３】図３は、本発明の一実施形態の鞄の側面図である。
【図４】図４は、図１のＡ−Ａ断面図である。
【図５】図５は、ノート型パソコン用コンパートメントのスライドファスナによる開放可能な範囲を説明するための図である。
【図６】図６は、ノート型パソコン用コンパートメントの仕切り部側に設けられているポケットを説明するための図である。
【図７】図７は、ノート型パソコン用コンパートメントの背面部材側に設けられているポケットを説明するための図である。
【図８】図８は、１７インチのノート型パソコンのノート型パソコン用コンパートメントへの収納を説明するための図である。
【図９】図９は、ノート型パソコン用コンパートメントに収納されている１５インチのノート型パソコンを取り出すときの操作を説明するための図である。
【図１０】図１０は、フロントコンパートメントに設けられたポケットを説明するための図である。
【図１１】図１１は、フロントコンパートメント上部に設けられたポケットに収納されているものを取り出す操作を説明するための図である。
【発明を実施するための形態】
【０００８】
図を参照して、本発明の一実施形態における鞄１を説明する。この鞄１は、中からノート型パソコンをすぐに取り出せるとともに、複数の大きさのノート型パソコンを収納することができる背負い鞄である。
【０００９】
図１は、本発明の一実施形態の鞄の正面図であり、図２は本発明の一実施形態の鞄の背面図である。図３は、本発明の一実施形態の鞄の側面図であり、図４は、図１のＡ−Ａ断面図である。鞄１を正面から見て、鞄１の右側の側面１６を以下、右側面と呼び、鞄１の左側の側面１８を以下、左側面と呼ぶ。符号１４は、鞄１の底面を示す。本発明の一実施形態の鞄１は、本体１０と、本体１０の背面側に設けられた背負いベルト２０と、本体の上面１２側に設けられた手提用の取っ手３０を有する。本体１０の正面は、正面部材４０で形成され、正面部材４０の上下方向の略中央にはスライドファスナ５０ａが設けられている。本体１０の背面は、背面部材６０で形成され、背面部材６０の表面にはクッション部材７０が設けられている。クッション部材７０は、たとえば、パンチング加工（穴あき加工）されたＥＶＡ（エチレン−酢酸ビニル共重合体）を立体的に成形したクッションである。これにより、使用者は、鞄１を快適に背負うことができる。なお、クッション部７０の材料は、クッション性を有すれば、ＥＶＡに限定されない。
【００１０】
鞄１の内部は、背面側から、ノート型パソコン用コンパートメント８０、メインコンパートメント９０およびフロントコンパートメント１００から構成される。
【００１１】
ノート型パソコン用コンパートメント８０は、ノート型パソコンを収納するためのコンパートメントである。ノート型パソコン用コンパートメント８０は、仕切り部１１０ａによって、メインコンパートメント９０から仕切られている。ノート型パソコン用コンパートメント８０は、鞄１の上面１２および左側面１８に連続して設けられた（図５に示す鞄１の背面における点線の部分１２０）スライドファスナ５０ｂにより開放可能とされる。ノート型パソコン用コンパートメント８０には、ノート型パソコン用コンパートメント８０の一部を構成する仕切り部１１０ａ、底部１４０およびノート型パソコン用コンパートメント８０の一部を構成する背面部材６０にわたって緩衝シート１５０が設けられている。すなわち、ノート型パソコン用コンパートメント８０は、ノート型パソコン用コンパートメント８０の正面側および背面側の側面に緩衝シート１５０を備える。緩衝シート１５０は、鞄１本体に作用する衝撃を吸収するシートである。緩衝シート１５０には、伸縮性のある材質を使用することができる。たとえば、緩衝シート１５０には、ナイロン、合成ゴムおよびスーパーコンポジットスキン、ネオプレーン（登録商標）などのウェットスーツに使用される高分子材料などを使用することができる。ノート型パソコン用コンパートメント８０に収納されたノート型パソコンを衝撃からさらに保護するために、ノート型パソコン用コンパートメント８０の下方、すなわち、ノート型パソコン用コンパートメント８０の底部１４０と鞄１の底面１４との間には、ノート型パソコン用コンパートメント８０の底部１４０に沿って、ＥＶＡ製のスポンジなどの弾力性のある材質の略円柱形状の弾性緩衝材１６０が設けられている。これにより、ノート型パソコン用コンパートメント８０に収納されているノート型パソコンを、鞄１を地面に置いたときに生じる衝撃から保護することができる。
【００１２】
ノート型パソコン用コンパートメント８０の仕切り部１１０ａ側にポケット１７０ａが設けられ、ノート型パソコン用コンパートメント８０の背面部材６０側にはポケット１７０ｂが設けられている。これらのポケット１７０ａ，１７０ｂによって、ノート型パソコン用コンパートメント８０には、少なくとも３つのサイズのノート型パソコンを収納することができる。たとえば、１３インチのノート型パソコン、１５インチのノート型パソコンおよび１７インチのノート型パソコンを収納することができる。なお、ノート型パソコンの大きさは、矩形形状のノート型パソコンの対角線の長さで示されている。１５インチのノート型パソコンはポケット１７０ａに収納され、１３インチのノート型パソコンはポケット１７０ｂに収納され、１７インチのノート型パソコンは、ポケット１７０ａ，１７０ｂに入れることなく、ノート型パソコン用コンパートメント８０の中に収納される。
【００１３】
図６は、ノート型パソコン用コンパートメント８０の仕切り部１１０ａ側に設けられているポケット１７０ａを説明するための図である。ポケット１７０ａには、緩衝シート１５０と同様に、ネオプレーン（登録商標）などのウェットスーツに使用される伸縮性のある素材が使用される。ポケット１７０ａはＬ字形状をしている。Ｌ字形状のポケット１７０ａは、外側に凸のＬ字型の辺１７２ａと内側に凹のＬ字型の辺１７４ａと上辺１７６ａと右辺１７８ａとを有する。このうち、外側に凸のＬ字型の辺１７２ａ、上辺１７６ａおよび右辺１７８ａは、仕切り部１１０ａと接合しており、内側に凹のＬ字型の辺１７４ａのみが接合されておらず、開放可能となっている。１５インチのノート型パソコン１８０ａは、図６（ｂ）に示すようにポケット１７０ａの中に収納される。１５インチのノート型パソコン１８０ａの上辺１８２ａ、下辺１８４ａ、右辺１８６ａおよび左辺１８８ａの４辺全てがポケット１７０ａで保持されているので、鞄１が揺れても、１５インチのノート型パソコン１８０ａは、ノート型パソコン用コンパートメント８０の中で少ししか、または全く揺れない。ポケット１７０ａは、上述したように伸縮性を有するので、ポケット１７０ａは、１５インチのノート型パソコン１８０ａに確実にフィットする。これにより、１５インチのノート型パソコン１８０ａは、鞄１が揺れても、ノート型パソコン用コンパートメント８０の中でさらに少ししか揺れないか、または全く揺れない。また、ポケット１７０ａは、上述したように伸縮性を有するので、内側に凹のＬ字型の辺１７４ａから１５インチのノート型パソコン１８０ａを容易に取り出すことができる。その上、ノート型パソコン１８０ａをポケット１７０ａから上方向からも横方向からも取り出すことができる。さらに、スライドファスナ５０ｂを開けたときに、ノート型パソコン１８０ａがポケット１７０ａから飛び出すことはない。なお、１５インチのノート型パソコン１８０ａの大きさは、ノート型パソコン用コンパートメント８０の大きさに比べて小さいので、ポケット１７０ａに収納しなければ、鞄１が揺れるとノート型パソコン用コンパートメント８０の中で揺れてしまう可能性がある。
【００１４】
図７は、ノート型パソコン用コンパートメント８０の背面部材６０側に設けられているポケット１７０ｂを説明するための図である。ポケット１７０ｂには、ポケット１７０ａと同様に、ネオプレーン（登録商標）などのウェットスーツに使用される伸縮性のある素材が使用される。ポケット１７０ｂの形状は矩形形状である。矩形形状のポケット１７０ｂの下辺１７４ｂ、右辺１７６ｂおよび左辺１７８ｂは背面部材６０と接合している。矩形形状のポケット１７０ｂの上辺１７２ｂは、背面部材６０と接合しておらず、開放可能となっている。１３インチのノート型パソコン１８０ｂは、図７（ｂ）に示すようにポケット１７０ｂの中に収納される。ポケット１７０ｂは、上述したように伸縮性を有するので、ポケット１７０ｂは、１３インチのノート型パソコン１８０ｂに確実にフィットする。これにより、１３インチのノート型パソコン１８０ｂは、鞄１が揺れても、ノート型パソコン用コンパートメント８０の中で少ししか揺れないか、または全く揺れない。また、ポケット１７０ｂは、上述したように伸縮性を有するので、１３インチのノート型パソコン１８０ｂを上辺１７２ｂから容易に取り出すことができる。なお、１３インチのノート型パソコン１８０ｂの大きさは、ノート型パソコン用コンパートメント８０の大きさに比べて小さいので、ポケット１７０ｂに収納しなければ、鞄１が揺れると１３インチのノート型パソコン用コンパートメント８０の中で揺れてしまう可能性がある。また、１３インチのノート型パソコン１８０ｂの大きさは、１５インチのノート型パソコン１８０ａの大きさに比べて小さいので、ポケット１７０ａに収納した場合、鞄１が揺れると１３インチのノート型パソコン用コンパートメント８０の中で揺れてしまう可能性がある。さらに、タブレットタイプのパソコンをポケット１７０ｂに、１３インチのノート型パソコン１８０ｂと同様に収納することができる。
【００１５】
図８は、１７インチのノート型パソコン１８０ｃのノート型パソコン用コンパートメント８０への収納を説明するための図である。ノート型パソコン用コンパートメント８０の大きさは、１７インチのノート型パソコン１８０ｃの大きさと略同じである。これにより、１７インチのノート型パソコン１８０ｃは、ポケット１７０ａ，１７０ｂに収納しなくても、鞄１が揺れてノート型パソコン用コンパートメント８０の中で激しく揺れてしまうことがない。また、上述したように、ノート型パソコン用コンパートメント８０には、伸縮性を有する緩衝シート１５０が設けられているので、緩衝シート１５０の伸縮力で１７インチのノート型パソコン１８０ｃは固定されるので、１７インチのノート型パソコン１８０ｃがノート型パソコン用コンパートメント８０の中で激しく揺れてしまうことをさらに抑制することができる。
【００１６】
図９は、ノート型パソコン用コンパートメント８０に収納されている１５インチのノート型パソコン１８０ａを取り出すときの操作を説明するための図である。図９では、背面部材６０に設けられているクッション部材７０は省略されている。図９に示すように、ノート型パソコン用コンパートメント８０に設けられているスライドファスナ５０ｂを開放すると、ノート型パソコン用コンパートメント８０の開口部が大きく開き、ノート型パソコン用コンパートメント８０のポケット１７０ａに収納されている１５インチのノート型パソコン１８０ａが外部に露出する。露出した１５インチのノート型パソコン１８０ａをポケット１７０ａから引き抜くことにより、１５インチのノート型パソコン１８０ｂを鞄１から迅速にかつ容易に取り出すことができる。また、１３インチのノート型パソコン１８０ｂをノート型パソコン用コンパートメント８０のポケット１７０ｂに収納した場合も、ノート型パソコン用コンパートメント８０に設けられているスライドファスナ５０ｂを開放すると、１３インチのノート型パソコン１８０ｂも同様に外部に露出する。そして、露出した１３インチのノート型パソコン１８０ｂをポケット１７０ｂから引き抜くことにより、１３インチのノート型パソコン１８０ｂも鞄１から迅速にかつ容易に取り出すことができる。また、タブレットタイプのパソコンも同様に鞄１から迅速にかつ容易に取り出すことができる。さらに、１７インチのノート型パソコン１８０ｃをノート型パソコン用コンパートメント８０に収納した場合も、ノート型パソコン用コンパートメント８０に設けられているスライドファスナ５０ｂを開放すると、１７インチのノート型パソコン１８０ｃも外部に露出する。そして、露出した１７インチのノート型パソコン１８０ｃをノート型パソコン用コンパートメント８０から引き抜くことにより、１７インチのノート型パソコン１８０ｃも鞄１から迅速にかつ容易に取り出すことができる。
【００１７】
メインコンパートメント９０は、鞄１に物品を収納するための主要な区画室である。メインコンパートメント９０の容量は、ノート型パソコン用コンパートメント８０の容量およびフロントコンパートメント１００の容量に比べて大きい。図４に示すように、メインコンパートメント９０は、仕切り部１１０ａによって、ノート型パソコン用コンパートメント８０から仕切られ、仕切り部１１０ｂによって、後述のフロントコンパートメント１００から仕切られている。メインコンパートメント９０は、鞄１の上面１２、右側面１６および左側面１８に連続して設けられたスライドファスナ５０ｃにより開放可能とされる。図３に示すように、スライドファスナ５０ｃは、左側面１８の下方まで達し、また右側面１６においても同様に下方まで達しているので、スライドファスナ５０ｃを大きく開くことができる。これにより、メインコンパートメント９０に収納された荷物の出し入れが容易になる。
【００１８】
フロントコンパートメント１００は、メインコンパートメント９０に収納すると他の荷物に紛れて取り出すことが困難になる小さな物品を収納するためのコンパートメントである。フロントコンパートメント１００は、仕切り部１１０ｂによって、メインコンパートメント９０から仕切られている。フロントコンパートメント８０は、仕切り部１１０ｃにより上部のフロントコンパートメント上部８０ａと下部のフロントコンパートメント下部８０ｂとにさらに分けられる。
【００１９】
図１０は、フロントコンパートメント１００の仕切り部１１０ｂ側を示す図である。フロントコンパートメント上部１００ａの仕切り部１１０ｂ側には、２つのポケット１７０ｃ，１７０ｄが左右に並んで設けられている。左側のポケット１７０ｃでは、上辺１７２ｃが開放されている。左側のポケット１７０ｃには、上述のポケット１７０ａ，１７０ｂと同様に、ネオプレーン（登録商標）などのウェットスーツに使用される伸縮性のある素材が使用される。これにより、ポケット１７０ｃには、携帯電話、携帯型情報端末などを傷がつかないように収納することができる。右側のポケット１７０ｄは、メッシュ素材が使用される。また、ポケット１７０ｄの開口部分は、スライドファスナ５０ｄにより開閉可能にされている。
【００２０】
フロントコンパートメント上部１００ａは、鞄１の左側面および上部に連続して設けられたスライドファスナ５０ｅにより開放可能とされる。図１１に示すように、スライドファスナ５０ｅを開けると、ポケット１７０ｃに収納された携帯電話１９０およびポケット１７０ｄに設けられたスライドファスナ５０ｄのスライダ５２ｄが露出する。露出した携帯電話１９０を引き出すことにより、ポケット１７０ｃから携帯電話１９０を迅速かつ容易に取り出すことができる。また、露出したスライダ５２ｄを使用してスライドファスナ５０ｄを開けることにより、ポケット１７０ｄに収納されている物品を容易に取り出すことができる。
【００２１】
図１０に示すように、フロントコンパートメント下部８０ｂの仕切り部１１０ａ側には、３つのポケット１７０ｅ，１７０ｆ，１７０ｇが左右に並んで設けられている。ポケット１７０ｅ，１７０ｆ，１７０ｇには、上述のポケット１７０ａ，１７０ｂと同様に、ネオプレーン（登録商標）などのウェットスーツに使用される伸縮性のある素材が使用される。それぞれのポケット１７０ｅ，１７０ｆ，１７０ｇの上辺１７２ｅ，１７２ｆ，１７２ｇが開放されている。図１に示すように、フロントコンパートメント下部８０ｂは、正面部材４０設けられたスライドファスナ５０ａにより開放可能とされている。
【００２２】
以上の一実施形態による鞄１は、次のような作用効果を奏する。
（１）正面から背面に向かって並んで配置された複数のコンパートメント８０〜１００を備える鞄１であって、複数のコンパートメント８０〜１００のうち、最も背面側のコンパートメント８０が、１７インチのノート型パソコン１８０ｃを収納するためのノート型パソコン用コンパートメント８０であり、ノート型パソコン用コンパートメント８０が、１７インチのノート型パソコン１８０ｃよりも小さい１５インチのノート型パソコン１８０ａを収納するためのポケット１７０ａを備えており、鞄１の上面１２と鞄１の側面１８とにわたってノート型パソコン用コンパートメント８０を連続的に開口させるスライドファスナ５０ｂを備えるようにした。これにより、ノート型パソコン１８０ａ，１８０ｃが鞄１の中で揺れることを抑制させて、１５インチのノート型パソコン１８０ａおよび／または１７インチのノート型パソコン１８０ｃを鞄１の中に収納することができ、かつ、スライドファスナ５０ｂを開けて鞄１の中からノート型パソコン１８０ａ，１８０ｃをすぐに取り出すことができる。とくにノート型パソコン用コンパートメント８０は、複数のコンパートメント８０〜１００の中で最も背面側に設けられているので、スライドファスナ５０ｂを開けることにより生じる開口部を大きく開けることができる。これによりのノート型パソコン用コンパートメント８０に収納されているノート型パソコン１８０ａ，１８０ｃを取り出しやすくなる。
【００２３】
（２）１５インチのノート型パソコン１８０ａを収納するためのポケット１７０ａがＬ字形状であり、伸縮性を有するようにした。これにより、ポケット１７０ａは、１５インチのノート型パソコン１８０ａを上辺１８２ａ、下辺１８４ａ、右辺１８６ａおよび左辺１８８ａにわたって保持することができ、１５インチのノート型パソコン１８０ａが鞄１の中で揺れることをさらに抑制させることができる。また、ポケット１７０ａは伸びることができるので、鞄１の中から１５インチのノート型パソコン１８０ａをすぐに取り出すことができる。
【００２４】
（３）ノート型パソコン用コンパートメント８０が、ノート型パソコン用コンパートメント８０の正面側および背面側の側面に緩衝シート１５０を備えるようにした。これにより、ノート型パソコン用コンパートメント８０に収納されたノート型パソコン１８０ａ〜１８０ｃを外部の衝撃から守ることができる。
【００２５】
（４）ノート型パソコン用コンパートメント８０の底部１４０に沿って弾性緩衝材１６０を備えるようにした。これにより、鞄１を地面に置いたときに生じる衝撃からノート型パソコン１８０ａ〜１８０ｃを保護することができる。
【００２６】
（５）ノート型パソコン用コンパートメント８０が、１５インチのノート型パソコン１８０ａよりも小さい１３インチのノート型パソコン１８０ｂを収納するための伸縮性を有するポケット１７０ｂをさらに備えるようにした。これにより、さらに１３インチのノート型パソコン１８０ｂが鞄１の中で揺れることを抑制させ、１３インチのノート型パソコン１８０ｂを衝撃から守りながら１３インチのノート型パソコン１８０ｂを鞄１の中にさらに収納することができ、かつ、鞄１の中から１３インチのノート型パソコン１８０ｂをすぐに取り出すことができる。また、タブレットタイプのパソコンは、ノート型パソコンと異なり、表示画面を覆うカバーがないので、表示画面に衝撃を受けやすい。このため、従来は、１７インチまたは１５インチのノート型パソコン１８０ａ，１８０ｃと一緒にタブレットタイプのパソコンを収納すると、タブレットタイプのパソコンの表示画面は衝撃を受ける場合がある。しかし、本発明の一実施形態の鞄１によれば、ノート型パソコン１８０ａ，１８０ｃと一緒にタブレットタイプのパソコンを収納しても、タブレットタイプのパソコンをポケット１７０ｂに収納することにより、タブレットタイプのパソコンの表示画面が衝撃を受けるのを抑制することができる。また、タブレットタイプのパソコンが鞄１の中で揺れることを抑制させながらタブレットタイプのパソコンを鞄１の中に収納することができ、かつ、鞄１の中からタブレットタイプのパソコンをすぐに取り出すことができる。
【００２７】
（６）鞄１を背負うための背負いベルト２０を背面に備え、ノート型パソコン用コンパートメント８０が最も背面側のコンパートメントであるようにした。これにより、鞄１を背中から降ろした後、鞄１の向きを変えないで、すぐにノートパソコン１８０ａ〜１８０ｃをノート型パソコン用コンパートメント８０から取り出すことができる。
【００２８】
以上の一実施形態の鞄１を次のように変形することができる。
（１）複数のコンパートメント８０〜１００のうち、最も正面側のコンパートメントをノート型パソコン用コンパートメントとしてもよい。この場合もノート型パソコン用コンパートメントに収納された複数の大きさのノート型パソコン１８０ａ〜１８０ｃをすぐに取り出すことができる。また、ノート型パソコン用コンパートメントの開口部を広く開けることができ、ノート型パソコン用コンパートメントに収納されたノート型パソコンを容易に取り出すことができる。
【００２９】
（２）ノート型パソコン用コンパートメント８０に、１５インチのノート型パソコン１８０ａを収納するためのポケット１７０ａを設け、１３インチのノート型パソコン１８０ｂを収納するためのポケット１７０ｂを設けないようにしてもよい。この場合も、ノート型パソコン１８０ａ，１８０ｃが鞄１の中で揺れることを抑制させて、複数のノート型パソコン（１５インチのノート型パソコン１８０ａおよび／または１７インチのノート型パソコン１８０ｃ）を鞄１の中に収納することができ、かつ、鞄１の中からノート型パソコン１８０ａ，１８０ｃをすぐに取り出すことができる。
【００３０】
（３）以上の一実施形態では、ノート型パソコン用コンパートメント８０の仕切り部１１０ａ側に１５インチのノート型パソコン１８０ａを収納するためのポケット１７０ａを設け、ノート型パソコン用コンパートメント８０の背面部材６０側に１３インチのノート型パソコン１８０ｂを収納するためのポケット１７０ｂを設けた。しかし、ノート型パソコン用コンパートメント８０の仕切り部１１０ａ側に１３インチのノート型パソコン１８０ｂを収納するためのポケット１７０ｂを設け、ノート型パソコン用コンパートメント８０の背面部材６０側に１５インチのノート型パソコン１８０ａを収納するためのポケット１７０ａを設けてもよい。
【００３１】
（４）ノート型パソコン用コンパートメント８０に収納することができるノート型パソコンの大きさは、１３インチ、１５インチおよび１７インチに限定されない。たとえば、ノート型パソコン用コンパートメントは、１０インチ、１３インチおよび１５インチのノート型パソコンを収納できるようにしてもよい。
【００３２】
（５）１３インチのノート型パソコン１８０ｂを収納するためのポケット１７０ｂを、１５インチのノート型パソコン１８０ａを収納するためのポケット１７０ａと同様にＬ字形状にしてもよい。
【００３３】
（６）ノート型パソコン用コンパートメント８０に収納するものは、携帯型情報表示端末であれば、ノート型パソコンに限定されない。たとえば、タブレットタイプのパソコン、電子書籍端末、スマートフォンなどをノート型パソコン用コンパートメント８０、ポケット１７０ａ〜１７０ｃに収納してもよい。
【００３４】
（７）以上の一実施形態の鞄１は、背負いベルト２０を備えた鞄１、すなわち、背負い鞄であるが、本発明の鞄は背負い鞄に限定されない。本発明は、たとえば、ダッフルバッグ、ショルダーバッグ、ガーメントバッグ、ローラーバッグなどに適用することができる。
【００３５】
実施形態と変形例の一つ、もしくは複数を組み合わせることは可能である。変形例同士をどのように組み合わせることも可能である。
【００３６】
以上の説明はあくまで一例であり、本発明は上記実施形態の構成になんら限定されるものではない。
【符号の説明】
【００３７】
１    鞄
１０    本体
２０    背負いベルト
３０    取っ手
４０    正面部材
５０ａ〜５０ｅ    スライドファスナ
６０    背面部材
７０    クッション部材
８０    ノート型パソコン用コンパートメント８０
９０    メインコンパートメント
１００    フロントコンパートメント
１１０ａ〜１００ｃ    仕切り部
１４０    底部
１５０    緩衝シート
１６０    弾性緩衝材
１７０ａ〜１７０ｇ    ポケット
１８０ａ〜１８０ｃ    ノート型パソコン
【図１】
0005748440.tif 000002
【図２】
0005748440.tif 000003
【図３】
0005748440.tif 000004
【図４】
0005748440.tif 000005
【図５】
0005748440.tif 000006
【図６】
0005748440.tif 000007
【図７】
0005748440.tif 000008
【図８】
0005748440.tif 000009
【図９】
0005748440.tif 000010
【図１０】
0005748440.tif 000011
【図１１】
0005748440.tif 000012